(57)【要約】【課題】  意図せず作動態様が変更してしまうことを抑制可能な電動工具を提供する。【解決手段】  第１操作部１１及び第２操作部１３が予め設定された第１所定時間内に操作されたときに、通常作動モードから設定変更モードに移行させる。これにより、「設定スイッチの操作のみに基づいて、通常作動モードから設定変更モードに移行する電動工具１」に比べて、設定変更モードへの移行操作がし難くなる。したがって、利用者及びその管理者が気付かないうちに、作動モードが通常作動モードから設定変更モードに移行してしまうことを抑止可能となる。【選択図】図１
2014124696.tif 000002
【特許請求の範囲】
【請求項１】
工具を稼働させる電動式の駆動源と、
利用者により操作される第１操作部と、
利用者により操作される第２操作部であって、少なくとも前記駆動源が稼働可能な状態とする機能を有する第２操作部と、
前記第２操作部の操作に基づいて前記駆動源を稼働させる通常作動モード、及び前記駆動源の作動態様を変更可能な設定変更モードを実行可能な第１制御部であって、前記第１操作部及び前記第２操作部が予め設定された第１所定時間内に操作されたときに、前記通常作動モードから前記設定変更モードに移行する第１制御部と
を備えることを特徴とする電動工具。
【請求項２】
前記第１制御部は、前記第１操作部が操作された後、前記第２操作部が操作されたときに、前記通常作動モードから前記設定変更モードに移行することを特徴とする請求項１に記載の電動工具。
【請求項３】
前記第１制御部は、前記第１操作部及び前記第２操作部が前記第１所定時間内に操作された時から予め設定された第２所定時間が経過したときに、前記通常作動モードから前記設定変更モードに移行することを特徴とする請求項１又は２に記載の電動工具。
【請求項４】
少なくとも前記設定変更モードが実行されているときに、情報を表示する表示部と、
前記第１操作部及び前記第２操作部のうち少なくとも一方の操作部の操作に応じて、前記表示部に表示される情報を変更する第２制御部と
を備えることを特徴とする請求項１ないし３のいずれか１項に記載の電動工具。
【請求項５】
前記第１制御部は、記憶部に記憶された設定情報を利用して前記通常作動モードを実行し、
さらに、前記第１操作部及び前記第２操作部のうち少なくとも一方の操作部の操作に応じて、前記表示部に表示される情報に基づく設定情報を前記記憶部に記憶させる第３制御部を備えることを特徴とする請求項４に記載の電動工具。
【請求項６】
前記第１制御部は、前記設定変更モードが実行されているときに、前記第１操作部及び前記第２操作部が予め設定された第３所定時間内に操作されたときに、前記設定変更モードを前記通常作動モードに移行させることを特徴とする請求項１ないし５のいずれか１項に記載の電動工具。
【請求項７】
前記第１制御部は、前記設定変更モードが実行されているときに、前記第１操作部が操作された後、前記第２操作部が操作されたときに、前記設定変更モードを前記通常作動モードに移行させることを特徴とする請求項６に記載の電動工具。
【請求項８】
前記第２操作部を有する把持部であって、利用者により把持される把持部を備えており、
前記第１操作部は、前記把持部以外の部位に設けられていることを特徴とする請求項１ないし７のいずれか１項に記載の電動工具。
【発明の詳細な説明】
【技術分野】
【０００１】
本発明は、工具を稼働させる電動式の駆動源を備える電動工具に関する。
【背景技術】
【０００２】
例えば、特許文献１に記載の電動工具では、駆動源の作動態様を変更できる。駆動源の作動態様とは、例えば、（ａ）工具を回転させる回転力や回転速度、（ｂ）インパクトドライバにあっては打撃時間等をいう。
【０００３】
作動態様を変更可能な電動工具においては、通常、トリガスイッチの操作に基づいて駆動源を稼働させる通常作動モード、及び作動態様を変更するための設定変更モードが実行可能である。
【０００４】
そして、特許文献１に記載の発明では、トリガスイッチ等とは別に設けられた設定スイッチが操作されたときに、通常作動モードから設定変更モードに移行する。因みに、トリガスイッチとは、通常、利用者により操作されるスイッチであって、駆動源を稼働又は停止させるためのスイッチである。
【先行技術文献】
【特許文献】
【０００５】
【特許文献１】特開平１０−１８０６４３号公報
【発明の概要】
【発明が解決しようとする課題】
【０００６】
ところで、特許文献１に記載の発明では、設定スイッチの操作のみに基づいて、通常作動モードから設定変更モードに移行する。また、利用者が意図せず、設定スイッチを操作してしまう可能性がある。そして、作動態様が変更されてしまったことを、利用者及びその管理者が気付かない状態で、利用者が電動工具を使用し続けることは、不適切である。
【０００７】
本発明は、上記点に鑑み、意図せず作動態様が変更してしまうことを抑制可能な電動工具を提供することを目的とする。
【課題を解決するための手段】
【０００８】
本発明は、上記目的を達成するために、工具を稼働させる電動式の駆動源（９）と、利用者により操作される第１操作部（１１）と、利用者により操作される第２操作部であって、少なくとも駆動源（９）が稼働可能な状態とする機能を有する第２操作部（１３）と、第２操作部（１３）の操作に基づいて駆動源（９）を稼働させる通常作動モード、及び駆動源（９）の作動態様を変更可能な設定変更モードを実行可能な第１制御部であって、第１操作部（１１）及び第２操作部（１３）が予め設定された第１所定時間内に操作されたときに、通常作動モードから設定変更モードに移行する第１制御部（１５）とを備えることを特徴とする。
【０００９】
これにより、本発明では、「設定スイッチの操作のみに基づいて、通常作動モードから設定変更モードに移行する特許文献１に記載の電動工具」に比べて、設定変更モードへの移行操作がし難くなる。
【００１０】
したがって、本発明では、利用者及びその管理者が気付かないうちに、作動モードが通常作動モードから設定変更モードに移行してしまうことを抑止可能となる。延いては、意図せず作動態様が変更してしまうことを抑制可能な電動工具を提供でき得る。因みに、本発明に係る第１所定時間は、工場出荷時又は利用者若しくは管理者等により予め設定された時間であって、０（ゼロ）秒以上の時間をいう。
【００１１】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１２】
【図１】本発明の実施形態に係る電動工具１の斜視図である。
【図２】本発明の実施形態に係る電動工具１の制御系ブロック図である。
【図３】本発明の実施形態に係る電動工具１の作動モード切替フローチャートである。
【図４】本発明の実施形態に係る電動工具１の設定変更処理フローチャートである。
【図５】本発明の実施形態に係る電動工具１の設定時間上位処理フローチャートである。
【図６】本発明の実施形態に係る電動工具１の設定時間下位処理フローチャートである。
【発明を実施するための形態】
【００１３】
以下に説明する「発明の実施形態」は実施形態の一例を示すものである。つまり、特許請求の範囲に記載された発明特定事項等は、下記の実施形態に示された具体的手段や構造等に限定されるものではない。
【００１４】
そして、本実施形態は、インパクトドライバやインパクトレンチ等の回転打撃工具に本発明に係る電動工具を適用したものである。なお、打撃回転工具とは、ドライバビットやソケットビット等のビット（以下、工具ともいう。）に回転方向の打撃を付与しながら工具を回転させるものをいう。
【００１５】
以下、本発明の実施形態を図面と共に説明する。なお、図１に付された方向を示す矢印等は、各部相互の関係を理解し易くするために記載したものであり、本発明は、図１に付された方向に限定されるものではない。
【００１６】
１．電動工具の概要
本実施形態に係る電動工具１は、図１に示すように、着脱可能な電池部（電池パックともいう。）３を有する回転打撃工具である。電動工具１は、概ね、本体部５及び把持部７を有して構成されている。
【００１７】
本体部５内には、駆動源９（図２参照）及び打撃力発生機構（図示せず。）が収納されている。駆動源９は、工具を回転稼働させる電動式モータである。駆動源９で発生した回転力は、打撃力発生機構を介してチャック部５Ａに伝達される。チャック部５Ａは、工具が着脱自在に装着される円筒状の工具装着部である。
【００１８】
なお、本実施形態に係る打撃力発生機構は、ハンマー及びアンビル等を有するハンマー方式である。ハンマーは、駆動源９から回転力を受けて回転駆動される。アンビルは、ハンマーから回転力を受けてチャック部５Ａに回転力を伝達する。そして、当該回転力が所定回転力以上となると、ハンマーは、アンビルを打撃しながらアンビルに回転力を付与する。
【００１９】
把持部７は利用者により把持される部位である。この把持部７は、略円筒状に形成された本体部５の側面に設けられ、かつ、当該側面から駆動源９の回転軸線に対して交差する方向に延びている。因みに、図１においては、把持部７は、本体部５の側面から下方側に延びている。
【００２０】
把持部７の延び方向先端７Ａには、電池部３が着脱自在に装着される装着部３Ａが設けられている。把持部７のうち少なくとも延び方向先端７Ａ側は、先端７Ａに向かうほど断面積が縮小している。そして、先端７Ａを超えた部位では、断面積が先端７Ａに比べて拡大している。
【００２１】
つまり、把持部７とは本体部５から先端７Ａまでの範囲をいう。先端７Ａとは断面積の変化率がマイナスからプラスに変わる変曲部をいう。把持部７のうち延び方向先端７Ａ側とは、後述する第２操作部１３から先端７Ａまでの範囲をいう。なお、本実施形態では、把持部７と装着部３Ａとは樹脂又は金属にて一体形成されている。
【００２２】
本実施形態に係る電動工具１には、利用者により操作される操作部として、少なくとも第１操作部１１及び第２操作部１３が設けられている。第１操作部１１は、電動工具１のうち把持部７以外の部位に設けられている。
【００２３】
具体的には、第１操作部１１は、装着部３Ａの把持部７側のうち、把持部７に対して第２操作部１３と同一側に設けられている。つまり、図１に付された方向矢印に従うと、第１操作部１１は、装着部３Ａの上面のうち、把持部７より前方側に設けられていることになる。
【００２４】
第２操作部１３は、把持部７のうち本体部５側に設けられている。そして、第１操作部１１と第２操作部１３との離間寸法Ｈ２は、電動工具１の最大外形寸法（図１の上位下寸法）Ｈ１に対して比較的大きな割合（例えば、約４０％）となっている。このため、通常の利用者では、第１操作部１１と第２操作部１３とを片手で同時に押圧操作することは難しい。
【００２５】
なお、本実施形態に係る第１操作部１１及び第２操作部１３は、利用者が押圧操作している間のみ接点が閉じた状態となり、押圧操作が消滅したときには接点が開く自動復帰型のスイッチである。因みに、第２操作部１３をトリガスイッチともいう。
【００２６】
２．電動工具の制御
２．１  制御系の概要
図２に示すように、駆動源９等の電気部品は制御部１５により制御される。制御部１５は、ＣＰＵ、ＲＡＭ及びＲＯＭ等を有するマイクロコンピュータ等を備える。そして、制御部１５は、ＲＯＭ等の不揮発性記憶部に予め記憶されたプログラムに従って駆動源９等の作動及びその作動態様、並びに電動工具１の作動モードを制御する。
【００２７】
本実施形態に係る電動工具１では、作動モードとして、少なくとも通常作動モード及び設定変更モードを有する。制御部１５は、通常作動モードを実行しているときには、第２操作部１３の操作に基づいて駆動源９を稼働させる。
【００２８】
つまり、通常作動モード時においては、制御部１５は、記憶部１５Ａに記憶されている設定情報を利用して通常作動モードを実行する。記憶部１５Ａは、フラッシュメモリ等の書き換え可能な不揮発性記憶装置である。
【００２９】
制御部１５は、設定変更モードを実行しているときには、駆動源９の作動態様を変更可能な状態とする。そして、制御部１５は、作動態様を特定する設定情報が変更された場合には、変更された設定情報を記憶部１５Ａに記憶させる。
【００３０】
なお、本実施形態に係る作動態様とは、ハンマーがアンビルに打撃を与えながら回転し続ける時間（以下、打撃時間という。）である。設定情報とは、打撃時間又は打撃時間に関連付けられた変数等をいう。
【００３１】
そして、制御部１５は、通常作動モード時においては、記憶部１５Ａに記憶されている設定情報に基づいて打撃時間を決定し、かつ、ハンマーがアンビルに対して打撃を付与し始めた時からの経過時間が当該打撃時間を超えたときに、駆動源９を停止させる。なお、以下、打撃時間に基づいて駆動源９を停止させる処理を打撃自動停止機能処理という。
【００３２】
但し、本実施形態では、駆動源９が起動した時から予め設定された時間（例えば、約１秒）が経過した時以降において、打撃が発生した場合に上記打撃時間が計時される。つまり、本実施形態では、駆動源９が起動した直後に発生する打撃は、打撃時間として計時されない。
【００３３】
これにより、本実施形態では、ハンマーがアンビルに乗り上げた状態で駆動源９が停止した後、駆動源９が再起動したことにより、アンビルに乗り上げていたハンマーが落ちて衝撃が発生した場合であっても、その衝撃を打撃と誤認識して打撃自動停止機能処理が実行されてしまうことを防止できる。
【００３４】
第２操作部１３は、第１機能を有する第１スイッチ部１３Ａ、及び第２機能を有する第２スイッチ部１３Ｂ等を備えている。第１機能は、駆動源９が稼働可能な状態とする機能である。第２機能は、第２操作部１３の操作量又は操作力（以下、操作量等という。）を検出し、その検出結果を出力する機能である。
【００３５】
すなわち、第１スイッチ部１３Ａは、利用者による第２操作部１３の操作に基づいて駆動源９に電力を供給する電源回路を直接的に開閉する。スイッチ部２１は、利用者による第２操作部１３の操作に基づいて電源回路を間接的に開閉する。
【００３６】
スイッチ部２１は、電界効果トランジスタ（ＦＥＴ）等の電源回路を開閉する制御素子であって、ゲート信号制御部２１Ａにより開閉タイミングが制御される。スイッチ検出部２３は、第１スイッチ部１３Ａの開閉状態の検出信号を制御部１５に入力させる。
【００３７】
そして、ゲート信号制御部２１Ａは、第２スイッチ部１３Ｂの検出信号に基づいてスイッチ部２１の開閉タイミングを制御する。具体的には、ゲート信号制御部２１Ａは、第２操作部１３の操作量等が大きくなるほど、駆動源９で発生する回転力が大きくなるようにスイッチ部２１の開閉タイミングを制御する。
【００３８】
したがって、第１スイッチ部１３Ａが閉じても、第２操作部１３の操作量等が０（ゼロ）の場合には、通電時間が０（ゼロ）となり、駆動源９は稼働しない。そして、第１スイッチ部１３Ａが閉じた状態で第２操作部１３の操作量等が大きくなると、駆動源９が稼働し始めるとともに、操作量等の増大に応じて駆動源９で発生する回転力が大きくなる。
【００３９】
つまり、第１スイッチ部１３Ａが閉じた状態では、駆動源９が稼働可能な状態になる。そして、第２スイッチ部１３Ｂにより第２操作部１３の操作量等が検出されると、第２操作部１３の操作量等に応じて駆動源９が回転する。
【００４０】
なお、本実施形態では、第２操作部１３が利用者により操作されると、先ず、第１スイッチ部１３Ａが閉じた状態となる。そして、当該状態から利用者が第２操作部１３を更に操作すると、第２スイッチ部１３Ｂにより操作量等が検出されて駆動源９が稼働し始める。
【００４１】
因みに、本実施形態では、第１スイッチ部１３Ａ、第２スイッチ部１３Ｂ、ゲート信号制御部２１Ａ及びスイッチ部２１が１つのスイッチ部品として一体化されている。
また、制御部１５は、レギュレータ１７を介して電池部３から電力の供給を受けて作動する。電源制御部１９は、第１スイッチ部１３Ａが開いた時から予め設定された所定時間（例えば、１０秒）が経過するまで、電池部３からレギュレータ１７に電力を供給させる。
【００４２】
このため、第２操作部１３の押圧操作が消滅した時、つまり第１スイッチ部１３Ａが開いた時から所定時間が経過するまでの間は、制御部１５は作動し続ける。なお、レギュレータ１７は、制御部１５に供給する電圧を安定化させる。
【００４３】
打撃検出部２５は打撃の有無を検出する。本実施形態に係る打撃検出部２５は、圧電素子により打撃を検出し、かつ、その検出した信号を制御部１５に出力する。正逆切替スイッチ２７は、利用者により操作される操作部であって、駆動源９の回転の向き切り替えるための操作部である。
【００４４】
なお、正逆切替スイッチ２７は、図１に示すように、把持部７のうち第２操作部１３より本体部５側に設けられている。照明２９は、本体部５のうちチャック部５Ａ側に設けられている。そして、照明２９は工具の先端側を照らす。なお、本実施形態に係る照明２９は、第１スイッチ部１３Ａが閉じたときに点灯される。
【００４５】
表示部３１は、少なくとも設定変更モードが実行されているときに、情報を表示する。本実施形態に係る表示部３１は、利用者が設定変更を行う際に必要な情報として、打撃時間に関連付けられた変数を表示する。具体的には、表示部３１は、一対の７セグメント方式の表示器３１Ａ、３１Ｂを有し、かつ、表示器３１Ａ、３１Ｂにより数字を表示する。
【００４６】
以下、表示器３１Ａを上位表示器３１Ａと呼ぶ。表示器３１Ｂを下位表示器３１Ｂと呼ぶ。上位表示器３１Ａ及び下位表示器３１Ｂを総称するときは、表示部３１と呼ぶ。
表示部３１は、装着部３Ａの上面に設けられている。表示部３１及び第１操作部１１は、同一の電気基板に実装されている。そして、表示部３１は透光性を有するカバー（図示せず。）で覆われている。第１操作部１１は、膜状のカバー（図示せず）により覆われている。
【００４７】
２．２  作動モードの切替及び打撃時間の設定
＜作動モード切替の概要＞
制御部１５は、作動モードが通常作動モードの場合に、第１操作部１１及び第２操作部１３が予め設定された所定時間（以下、第１所定時間ともいう。）内に操作されたときに、作動モードを通常作動モードから設定変更モードに移行させる。第１所定時間は、工場出荷時又は利用者若しくは管理者等により予め設定された時間であって、例えば、０（ゼロ）秒以上、５秒以下の時間をいう。
【００４８】
なお、本実施形態では、後述するように、第１操作部１１が操作された後、第２操作部１３が操作されたときであって、第１操作部１１及び第２操作部１３が第１所定時間内に操作された時から予め設定された所定時間（以下、第２所定時間ともいう。）が経過したときに、制御部１５は、作動モードを通常作動モードから設定変更モードに移行させる。
【００４９】
因みに、第１操作部１１が操作されたか否かは、電流又は電圧の変化を利用して制御部１５にて判断される。第２操作部１３が操作されたか否かは、スイッチ検出部２３を介して電流又は電圧の変化を利用して制御部１５にて判断される。
【００５０】
そして、制御部１５は、設定変更モードが実行されているときに、第１操作部１１及び第２操作部１３が予め設定された所定時間（以下、第３所定時間ともいう。）内に操作されたときに、作動モードを設定変更モードから通常作動モードに移行させる。
【００５１】
なお、本実施形態では、第３所定時間は第１所定時間より長い時間（例えば、１０秒）である。そして、後述するように、制御部１５は、設定変更モードが実行されているときに、第１操作部１１が操作された後、第２操作部１３が操作されたときに、作動モードを設定変更モードから通常作動モードに移行させる。
【００５２】
因みに、本実施形態に係る制御部１５は、以下の場合にも作動モードを通常作動モードにする。すなわち、（ａ）電池部３が装着部３Ａに装着されていない状態から電池部３が装着部３Ａに装着された状態になった場合、（ｂ）設定変更モードが実行されているときにおいて、第１操作部１１及び第２操作部１３のいずれも操作されていない状態の経過時間が、予め設定された時間を経過した場合である。なお、当該経過時間は、第１所定時間より長い時間が望ましい。
【００５３】
＜作動モード切替の詳細＞
図３は作動モード切替制御を示す流れ図である。本制御を実行するプログラムは、ＲＯＭに記憶されている。そして、本プログラムは、電池部３が装着部３Ａに装着されて制御部１５に電力を供給することが可能な状態であって、第２操作部１３、つまりトリガスイッチが操作されたときに、ＲＯＭから読み込まれてＣＰＵにて実行される。
【００５４】
なお、「第２操作部１３が操作された状態」とは、本実施形態では、少なくとも第１スイッチ部１３Ａが閉じた状態をいう。しかし、本実施形態では、第１スイッチ部１３Ａと第２スイッチ部１３Ｂとは一体化されている。
【００５５】
このため、本実施形態に係る電動工具１においては、多くの場合、「第２操作部１３が操作された状態」では、第１スイッチ部１３Ａ及び第２スイッチ部１３Ｂは共に閉じた状態となる。したがって、通常作動モードにおいて、「第２操作部１３が操作された状態」となると、多くの場合、駆動源９が稼働する。
【００５６】
以下、「第２操作部１３が操作された状態」とは、図３〜図６においては「ＳＷ２：ＯＮ」と表記されている。「第２操作部１３が操作されていない状態」とは、図３〜図６においては「ＳＷ２：ＯＦＦ」と表記されている。
【００５７】
同様に、「第１操作部１１が操作された状態」とは、図３〜図６においては「ＳＷ１：ＯＮ」と表記されている。「第１操作部１１が操作されていない状態」とは、図３〜図６においては「ＳＷ１：ＯＦＦ」と表記されている。
【００５８】
そして、第２操作部１３、つまりトリガスイッチが操作されて、図３に示す制御が起動されると、駆動源９の稼働を制御するための各種変数が初期値（例えば、０）に設定された後（Ｓ１）、第２操作部１３が操作されていない状態であるか否かが判定される（Ｓ３）。
【００５９】
第２操作部１３が操作されていない状態ではない、つまり、第２操作部１３が操作された状態であると判定された場合には（Ｓ３：Ｎ）、打撃自動停止機能処理が実行される（Ｓ５）。このとき、打撃が発生していないとき、又は打撃が発生してからの経過時間（以下、経過時間と略す。）が打撃時間未満のときには、Ｓ３が実行される。
【００６０】
Ｓ３にて第２操作部１３が操作されていない状態であると判定された場合には（Ｓ３：Ｙ）、経過時間カウンタが初期値（０）に再設定された後（Ｓ７）、第１操作部１１が操作されたか否かが判定される（Ｓ９）。なお、経過時間カウンタとは、経過時間を計時する計時部である。本実施形態に係る経過時間カウンタは、制御部１５に設けられている。
【００６１】
Ｓ９にて第１操作部１１が操作されていないと判定された場合には（Ｓ９：Ｎ）、表示部３１に表示されている変数（以下、表示打撃時間という。）の表示を停止させる処理が実行された後（Ｓ１１）、第２操作部１３が操作されていない状態であるか否かが判定される（Ｓ１３）。
【００６２】
第２操作部１３が操作されていない状態ではない、つまり、第２操作部１３が操作された状態であると判定された場合には（Ｓ１３：Ｙ）、Ｓ３が実行される。第２操作部１３が操作されていない状態であると判定された場合には（Ｓ１３：Ｎ）、Ｓ１３が実行される。
【００６３】
Ｓ９にて第１操作部１１が操作されたと判定された場合には（Ｓ９：Ｙ）、表示部３１に表示打撃時間を表示させる処理が実行された後（Ｓ１５）、第２操作部１３が操作されたか否かが判定される（Ｓ１７）。
【００６４】
Ｓ１７にて第２操作部１３が操作されていないと判定された場合には（Ｓ１７：Ｎ）、Ｓ７が実行される。Ｓ１７にて第２操作部１３が操作された判定された場合には（Ｓ１７：Ｙ）、第２操作部１３が操作された時から第２所定時間（例えば、３．５秒）が経過したか否かが判定される（Ｓ１９）。
【００６５】
Ｓ１９にて第２所定時間が経過していないと判定された場合には（Ｓ１９：Ｎ）、Ｓ９が実行される。Ｓ１９にて第２所定時間が経過したと判定された場合には（Ｓ１９：Ｙ）、作動モードが設定変更モードに移行し、後述する設定変更処理が実行される（Ｓ２１）。設定変更処理（Ｓ２１）が終了すると、Ｓ３が実行される。
【００６６】
＜設定変更処理＞
設定変更処理とは、打撃時間を変更するための処理である。設定変更処理を実行するためのプログラムもＲＯＭに記憶されている。本プログラムは、Ｓ２１が実行されるときにＲＯＭから読み込まれてＣＰＵにて実行される。
【００６７】
設定変更処理が起動されると、図４に示すように、第１操作部１１及び第２操作部１３が共に操作されていない状態であるか否かが判定される（Ｓ３１）。Ｓ３１にて第１操作部１１及び第２操作部１３が共に操作されていない状態ではない、つまり第１操作部１１及び第２操作部１３のうち少なくとも一方の操作部が操作されていると判定された場合には（Ｓ３１：Ｎ）。Ｓ３１が実行される。
【００６８】
Ｓ３１にて第１操作部１１及び第２操作部１３が共に操作されていない状態であると判定された場合には（Ｓ３１：Ｙ）、後述する打撃時間上位設定処理及び打撃時間下位設定処理が実行される（Ｓ３３、Ｓ３５）。
【００６９】
打撃時間上位設定処理（Ｓ３３）及び打撃時間下位設定処理（Ｓ３５）が終了すると、第２操作部１３が操作されたか否か判定される（Ｓ３７）。Ｓ３７にて第２操作部１３が操作されたと判定された場合には（Ｓ３７：Ｙ）、Ｓ３１が実行される。Ｓ３７にて第２操作部１３が操作されていないと判定された場合には（Ｓ３７：Ｎ）、第１操作部１１が操作されたか否か判定される（Ｓ３９）。
【００７０】
Ｓ３９にて第１操作部１１が操作されていないと判定された場合には（Ｓ３９：Ｎ）、Ｓ３７が実行される。Ｓ３９にて第１操作部１１が操作されたと判定された場合には（Ｓ３９：Ｙ）、第２操作部１３が操作されたか否か判定される（Ｓ４１）。
【００７１】
Ｓ４１にて第２操作部１３が操作されていないと判定された場合には（Ｓ４１：Ｎ）、Ｓ４１が実行される。Ｓ４１にて第２操作部１３が操作されたと判定された場合には（Ｓ４１：Ｙ）、現在、表示部３１に表示されている表示打撃時間を記憶部１５Ａに記憶する処理が実行される（Ｓ４３）。
【００７２】
次に、第２操作部１３が操作されていない状態であるか否か判定される（Ｓ４５）。Ｓ４５にて第２操作部１３が操作されていない状態ではない、つまり第２操作部１３が操作されていると判定された場合には（Ｓ４５：Ｎ）、Ｓ４５が実行される。Ｓ４５にて第２操作部１３が操作されていないと判定された場合には（Ｓ４５：Ｙ）、本制御が終了する。
【００７３】
＜打撃時間上位設定処理＞
打撃時間上位設定処理とは、上位表示器３１Ａの表示情報を変更するための処理である。打撃時間上位設定処理を実行するためのプログラムもＲＯＭに記憶されている。本プログラムは、Ｓ３３が実行されるときにＲＯＭから読み込まれてＣＰＵにて実行される。
【００７４】
打撃時間上位設定処理が起動されると、図５に示すように、上位表示器３１Ａに表示されている表示打撃時間、つまり０〜９までの数字のいずれかを表示させる処理が実行された後（Ｓ５１）、第１操作部１１が操作されたか否かが判定される（Ｓ５３）。なお、以下、上位表示器３１Ａに表示されている表示打撃時間、つまり数字を表示値という。
【００７５】
Ｓ５３にて第１操作部１１が操作されていないと判定された場合には（Ｓ５３：Ｎ）、Ｓ６３が実行される。Ｓ５３にて第１操作部１１が操作されたと判定された場合には（Ｓ５３：Ｙ）、現在の表示値を所定数（例えば、１）だけ大きくした値（以下、設定値上位という。）が決定される（Ｓ５５）。
【００７６】
次に、設定値上位が上限値（本実施形態では、１０）であるか否かが判定される（Ｓ５７）。Ｓ５７にて設定値上位が上限値でないと判定された場合には（Ｓ５７：Ｎ）、Ｓ５５で決定された設定値上位が上位表示器３１Ａに表示された後（Ｓ５９）、Ｓ６１が実行される。
【００７７】
Ｓ５７にて設定値上位が上限値であると判定された場合には（Ｓ５７：Ｙ）、設定値上位が下限値（本実施形態では、０）に変更された後、設定値上位が上位表示器３１Ａに表示された後（Ｓ５９）、Ｓ６１が実行される。
【００７８】
Ｓ６１では第１操作部１１が操作されていないか否かが判定される。そして、第１操作部１１が操作されていない状態ではない、つまり第１操作部１１が操作されていると判定された場合には（Ｓ６１：Ｎ）、Ｓ６１が実行される。
【００７９】
Ｓ６１にて第１操作部１１が操作されていないと判定された場合には（Ｓ６１：Ｙ）、第２操作部１３が操作されたか否かが判定される（Ｓ６３）。第２操作部１３が操作されていないと判定された場合には（Ｓ６３：Ｎ）、Ｓ５１が実行される。
【００８０】
Ｓ６３にて第２操作部１３が操作されたと判定された場合には（Ｓ６３：Ｙ）、第２操作部１３が操作されていないか否か判定される（Ｓ６５）。Ｓ６５にて第２操作部１３が操作されていない状態ではない、つまり第２操作部１３が操作されていると判定された場合には（Ｓ６５：Ｎ）、Ｓ６５が実行される。
【００８１】
Ｓ６５にて第２操作部１３が操作されていないと判定された場合には（Ｓ６５：Ｙ）、本制御が終了し、打撃時間下位設定処理（Ｓ３５）が実行される。
＜打撃時間下位設定処理＞
打撃時間下位設定処理とは、下位表示器３１Ｂの表示情報を変更するための処理である。打撃時間下位設定処理を実行するためのプログラムもＲＯＭに記憶されている。本プログラムは、Ｓ３５が実行されるときにＲＯＭから読み込まれてＣＰＵにて実行される。
【００８２】
打撃時間下位設定処理が起動されると、図６に示すように、下位表示器３１Ｂに表示されている表示打撃時間、つまり０〜９までの数字のいずれかを表示させる処理が実行された後（Ｓ７１）、第１操作部１１が操作されたか否かが判定される（Ｓ７３）。なお、以下、下位表示器３１Ｂに表示されている表示打撃時間、つまり数字を表示値という。
【００８３】
Ｓ７３にて第１操作部１１が操作されていないと判定された場合には（Ｓ７３：Ｎ）、Ｓ８３が実行される。Ｓ７３にて第１操作部１１が操作されたと判定された場合には（Ｓ７３：Ｙ）、現在の表示値を所定数（例えば、１）だけ大きくした値（以下、設定値下位という。）が決定される（Ｓ７５）。
【００８４】
次に、設定値下位が上限値（本実施形態では、１０）であるか否かが判定される（Ｓ７７）。Ｓ７７にて設定値下位が上限値でないと判定された場合には（Ｓ７７：Ｎ）、Ｓ７５で決定された設定値下位が下位表示器３１Ｂに表示された後（Ｓ７９）、Ｓ８１が実行される。
【００８５】
Ｓ７７にて設定値下位が上限値であると判定された場合には（Ｓ７７：Ｙ）、設定値下位が下限値（本実施形態では、０）に変更された後、設定値下位が下位表示器３１Ｂに表示された後（Ｓ７９）、Ｓ８１が実行される。
【００８６】
Ｓ８１では第１操作部１１が操作されていないか否かが判定される。そして、第１操作部１１が操作されていない状態ではない、つまり第１操作部１１が操作されていると判定された場合には（Ｓ８１：Ｎ）、Ｓ８１が実行される。
【００８７】
Ｓ８１にて第１操作部１１が操作されていないと判定された場合には（Ｓ８１：Ｙ）、第２操作部１３が操作されたか否かが判定される（Ｓ８３）。第２操作部１３が操作されていないと判定された場合には（Ｓ８３：Ｎ）、Ｓ７１が実行される。
【００８８】
Ｓ８３にて第２操作部１３が操作されたと判定された場合には（Ｓ８３：Ｙ）、第２操作部１３が操作されていないか否か判定される（Ｓ８５）。Ｓ８５にて第２操作部１３が操作されていない状態ではない、つまり第２操作部１３が操作されていると判定された場合には（Ｓ８５：Ｎ）、Ｓ８５が実行される。
【００８９】
Ｓ８５にて第２操作部１３が操作されていないと判定された場合には（Ｓ８５：Ｙ）、本制御が終了し、Ｓ３７が実行される。
３．本実施形態に係る電動工具の特徴
本実施形態では、第１操作部１１及び第２操作部１３が予め設定された第１所定時間内に操作されたときに、通常作動モードから設定変更モードに移行することを特徴としている。
【００９０】
これにより、本実施形態では、「設定スイッチの操作のみに基づいて、通常作動モードから設定変更モードに移行する特許文献１に記載の電動工具１」に比べて、設定変更モードへの移行操作がし難くなる。
【００９１】
したがって、本実施形態では、利用者及びその管理者が気付かないうちに、作動モードが通常作動モードから設定変更モードに移行してしまうことを抑止可能となる。
また、本実施形態では、第１操作部１１が操作された後、第２操作部１３が操作されたときに、通常作動モードから設定変更モードに移行することも特徴としている。
【００９２】
これにより、本実施形態では、利用者及びその管理者が気付かないうちに、作動モードが通常作動モードから設定変更モードに移行してしまうことを確実に抑止し得る。
また、本実施形態では、第１操作部１１及び第２操作部１３が第１所定時間内に操作された時から予め設定された第２所定時間が経過したときに、通常作動モードから設定変更モードに移行することも特徴としている。
【００９３】
これにより、本実施形態では、利用者及びその管理者が気付かないうちに、作動モードが通常作動モードから設定変更モードに移行してしまうことを、更に確実に抑止し得る。
また、本実施形態では、少なくとも設定変更モードが実行されているときに、情報を表示する表示部３１を備え、かつ、図５及び図６に示すように、第１操作部１１及び第２操作部１３のうち少なくとも一方の操作部の操作に応じて表示部３１に表示される情報を変更することも特徴としている。
【００９４】
これにより、本実施形態では、利用者は、（ａ）作動モードが設定変更モードに移行したこと、及び（ｂ）設定情報等を認知することができる。したがって、電動工具１の使い勝手を向上させることができる。
【００９５】
また、本実施形態では、記憶部１５Ａに記憶された設定情報を利用して通常作動モードを実行し、さらに、第１操作部１１及び第２操作部１３のうち少なくとも一方の操作部の操作に応じて、表示部３１に表示される情報を記憶部１５Ａに記憶させることも特徴としている。
【００９６】
これにより、本実施形態では、設定を変更するための操作部を、別途、必要しない。したがって、電動工具１の部品点数及び組立工数の増大を抑制できる。
また、本実施形態では、第２操作部１３を有する把持部であって、利用者により把持される把持部７を備えており、第１操作部１１は、把持部７以外の部位に設けられていることも特徴としている。
【００９７】
これにより、本実施形態では、利用者は、第１操作部１１及び第２操作部１３を第１所定時間内に操作することが難しくなる。したがって、利用者及びその管理者が気付かないうちに、作動モードが通常作動モードから設定変更モードに移行してしまうことをより一層抑止し得る。
【００９８】
（その他の実施形態）
上述の実施形態では、制御部１５及び制御部１５で実行されるプログラムにより特許請求の範囲に記載された第１制御部〜第３制御部が構成されていたが、本発明はこれに限定されるものではなく、例えば、各制御部の作動を行う専用のハードウェアをそれぞれ設けてもよい。
【００９９】
因みに、上述の実施形態では、制御部１５及び図３に示す制御ステップが第１制御部に相当する。制御部１５及び図５及び図６に示す制御ステップが第２制御部に相当する。制御部１５及び図４に示す制御ステップが第３制御部に相当する。
【０１００】
また、上述の実施形態では、第１操作部１１が操作された後、第２操作部１３が操作されたときに作動モードが切り替わったが、本発明はこれに限定されるものではなく、以下のようにしてもよい。
【０１０１】
すなわち、例えば、（ａ）第１操作部１１及び第２操作部１３が同時に操作されたとき、又は（ｂ）第２操作部１３が操作された後、第１操作部１１が操作されたときに、作動モードが切り替わる構成としてもよい。なお、「第１操作部１１及び第２操作部１３が同時に操作されたとき」とは、第１所定時間が約０秒の場合に相当する。
【０１０２】
また、本発明は、第１所定時間以内又は第３所定時間以内に第１操作部１１及び第２操作部１３が操作されたときに、作動モードを変更する。したがって、例えば、第１操作部１１が操作されたと判定された時以降に、第１操作部１１を操作する押圧操作力が消失した場合であっても、その第１操作部１１が操作されたと判定された時から第１所定時間以内に第２操作部１３が操作されたときには、作動モードは、通常作動モードから設定変更モードに移行する。
【０１０３】
ところで、上述の実施形態では、第１操作部１１が操作されたと判定された時から第２操作部１３が操作されたと判定された時までの処理時間は、通常、非常に短い時間である。つまり、当該処理時間は、０秒とみなすことが可能な程度に短い時間である。
【０１０４】
このため、上述の実施形態では、処理時間を計時し、かつ、その計時した処理時間が第１処理時間以内又は第３所定時間以内であるか否か判定する時間判定処理を設けていない。しかし、本発明はこれに限定されるものではない。
【０１０５】
具体的には、本発明は、上記時間判定処理を設けて、第１操作部１１及び第２操作部１３が第１所定時間以内又は第３所定時間に操作されたか否かを判定し、第１所定時間以内又は第３所定時間以内に第１操作部１１及び第２操作部１３が操作されたと判定された場合に、作動モードを変更する構成としてもよい。
【０１０６】
また、上述の実施形態では、第１操作部１１及び第２操作部１３（第１スイッチ部１３Ａ、第２スイッチ部１３Ｂ）は、自動復帰型の開閉器であったが、本発明はこれに限定されるものではなく、例えば位置保持型の開閉器等であってもよい。
【０１０７】
また、上述の実施形態に係る第２操作部１３は、第１スイッチ部１３Ａ及び第２スイッチ部１３Ｂを有するものであったが、本発明はこれに限定されるものではなく、例えば、第２スイッチ部１３Ｂを第１スイッチ部１３Ａの機能を有するスイッチとして、第１スイッチ部１３Ａを廃止する等としてもよい。
【０１０８】
また、表示部３１に表示される情報を変更する際の第１操作部１１及び第２操作部１３の操作方法は、上述の実施形態に限定されるものではなく、例えば、（ａ）第１操作部１１及び第２操作部１３のいずれか一方の操作部のみを用いる、又は（ｂ）第１操作部１１及び第２操作部１３の少なくとも一方の操作部と第３の操作部と組み合わせる等としてもよい。
【０１０９】
また、上述の実施形態に係る表示部３１は、一対の７セグメント方式の表示器３１Ａ、３１Ｂにより構成されていたが、本発明はこれに限定されるものではなく、ＬＣＤ等のその他表示器を用いてもよい。
【０１１０】
また、上述の実施形態では、通常作動モードから設定変更モードに移行させる際の利用者の操作と、設定変更モードから通常作動モードに移行させる際の利用者の操作とが同一であったが、本発明はこれに限定されるものではない。
【０１１１】
また、上述の実施形態では、第１操作部１１及び表示部３１は、装着部３Ａに設けられていたが、本発明はこれに限定されるものではなく、例えば、把持部７又は本体部５に第１操作部１１及び表示部３１が設けられていてもよい。
【０１１２】
また、上述の実施形態に係る電動工具１は、着脱自在の電池部３から電力の供給を受けるものであったが、本発明はこれに限定されるものではなく、電源ケーブルを介して電力の供給の受ける電動工具であってもよい。
【０１１３】
また、上述の実施形態では、設定変更モードにて変更可能な作動態様として、打撃時間を例に説明したが、本発明はこれに限定されるものではなく、例えば、回転力を設定変更可能な電動工具、又は回転打撃工具以外の電動工具にも適用できる。
【０１１４】
また、上述の実施形態では、駆動源９が起動した時から予め設定された時間が経過するまでは、打撃自動停止機能処理が起動しない構成であったが、本発明はこれに限定されるものではない。
【０１１５】
すなわち、例えば、（ａ）駆動源９が起動した時からハンマーが予め設定された角度だけ回転した時間時以降に打撃自動停止機能処理が起動される構成、又は（ｂ）駆動源９の起動直後に発生する打撃と回転力所定回転力以上となったときに発生する打撃とを識別して打撃自動停止機能処理をする構成であってもよい。
【０１１６】
また、上述の実施形態における第１所定時間〜第３所定時間等の具体的な値は一例である。つまり、本発明における第１所定時間〜第３所定時間等の具体的な値は、上記の具体的な値に限定されるものではない。
【０１１７】
また、本発明は、特許請求の範囲に記載された発明の趣旨に合致するものであればよく、上述の実施形態に限定されるものではない。
【符号の説明】
【０１１８】
１… 電動工具  ３… 電池部  ３Ａ… 装着部  ５… 本体部  ７… 把持部
９… 駆動源  １１… 第１操作部  １３… 第２操作部  １３Ａ… 第１スイッチ部
１３Ｂ… 第２スイッチ部  １５… 制御部  １５Ａ… 記憶部
１７… レギュレータ  １９… 電源制御部  ２１… スイッチ部
２１Ａ… ゲート信号制御部  ２３… スイッチ検出部  ２５… 打撃検出部
２７… 正逆切替スイッチ  ２９… 照明  ３１… 表示部
３１Ａ… 上位表示器  ３１Ｂ… 下位表示器
【図１】
2014124696.tif 000003
【図２】
2014124696.tif 000004
【図３】
2014124696.tif 000005
【図４】
2014124696.tif 000006
【図５】
2014124696.tif 000007
【図６】
2014124696.tif 000008